(57)【特許請求の範囲】
【請求項１】
電気回路部品が実装されたプリント配線基板と、前記プリント配線基板等を内蔵する筐体と、前記プリント配線基板の上方に配置されたキーボードと、前記筐体底面と前記キーボードとの間に、前記プリント配線基板に設けられた孔部を貫通する衝撃緩衝部材とを備えたことを特徴とする電子機器。
【請求項２】
衝撃緩衝部材は、キーボードの中央部近傍に配置されることを特徴とする請求項１記載の電子機器。
【請求項３】
衝撃緩衝部材は、キーボード及び筐体と固定されないことを特徴とする請求項１記載の電子機器。
【請求項４】
衝撃緩衝部材は、軸状部品及び板状部品とから構成されることを特徴とする請求項１記載の電子機器。
【請求項５】
衝撃緩衝部材は、衝撃吸収が可能な弾性体を含むことを特徴とする請求項１記載の電子機器。
【請求項６】
衝撃緩衝部材は一体成形されたものであることを特徴とする請求項１記載の電子機器。
【請求項７】
プリント配線基板上にディスクドライブ装置を配置したことを特徴とする請求項１記載の電子機器。
【発明の詳細な説明】
【０００１】
【発明の属する技術分野】
本発明はノートパソコンなどの電子機器に関し、詳しくは、電気回路部品が実装されたプリント配線基板の上方にキーボードが配置された電子機器に関するものである。
【０００２】
【従来の技術】
従来、ノートパソコンなどの電子機器においては、ＣＰＵ（中央制御処理装置）などの電気回路部品が実装されたプリント配線基板の上方にキーボードが配置された構造のものがほとんどとなっている。
【０００３】
以下、従来のノートパソコンなどの電子機器の構造について図を用いて説明する。
【０００４】
図３は従来の電子機器の構造を示す側面断面図である。図において、３１は電子機器筐体で、ＣＰＵ３２等の電気回路部品が半田付け実装されたプリント配線基板３３を内蔵している。また、プリント配線基板３３の上方には、打鍵による入力を行うキーボード３４が配置されている。キーボード３４は、複数のキー３４ａ、樹脂製の枠３４ｂ、キースイッチパターンが印刷されたフイルム状基板３４ｃ、及び、金属ベース３４ｄとから構成されている。キーボード３４は、周囲を電子機器筐体３１のホルダ部３１ａによって支持され、中央部近傍をプリント配線基板３３に接着等によって取り付けられたスペーサ３５を介してプリント配線基板３３に支持されている。キーボード３４の中央部近傍を支持するのは、近年、ノートパソコンなどの電子機器を携帯型とするため、軽量化、薄型化が図られており、キーボードにおいても、樹脂製の枠や金属ベースを薄肉にしており、たわみやすくなっているためである。キーボードがたわむと、キー入力時のフィーリング感が悪くなる。
【０００５】
以上のように構成された従来の電子機器において、キーボード３４のキー３４ａを打鍵して入力を行うとき、打鍵による衝撃力及び荷重は、電子機器筐体３１のホルダ部３１ａとスペーサ３５を介してプリント配線基板３３が受けることになる。
【０００６】
【発明が解決しようとする課題】
このような上記従来の電子機器では、以下のような課題があった。
【０００７】
プリント配線基板でキーボード打鍵入力時の荷重を受けるため、キー入力の度に衝撃力及び荷重がプリント配線基板に加わり、半田付け実装しているＣＰＵ３２等の電気回路部品が半田剥がれ（繰り返し疲労）を起こし、故障の原因となる。
【０００８】
この対策としては従来次のような方法がとられていた。
【０００９】
（１）電子機器筐体のホルダ部を延長し、キーボードを全面的に支持する。
【００１０】
（２）図４に示すように、電子機器筐体４１の底面からボス４１ａを立て、プリント配線基板４２をキーボード４３に取り付けたボス４３ａとで挟み込み、さらにネジ４４でネジ締めする。
【００１１】
（３）図５に示すように、電子機器筐体５１の底面からボス５１ａやリブ５１ｂを立ててプリント配線基板５２を貫通させ、直接キーボード５３の下面を受ける。
【００１２】
しかしながら、上記（１）の方法の場合、ホルダ部を形成している肉厚分だけ電子機器のセット厚みが増え、近年の薄型化に逆行する。また、（２）の場合、ボス径が大きいため、プリント配線基板４２上の部品実装面積が減少する。また（３）の場合、図５に示すように、プリント配線基板５２を電子機器筐体５１に取り付ける時、プリント配線基板５２端面に配置された外部Ｉ／ＦＣＮ（インターフェイスコネクタ）５４があるため、電子機器筐体５１の開口５１ｃをくぐらせるように回転させながら装着することになり、プリント配線基板５２を貫通させる孔５２ａの面積が増大し、やはり、プリント配線基板５２上の部品実装面積が減少する。
【００１３】
本発明は、上記従来の課題を解決するもので、電子機器のセット厚みを増やさず、キーボードのキー入力時のフィーリング感を満足し、かつ、故障の原因となるプリント配線基板への衝撃力及び荷重が直接加わらない、そしてプリント配線基板の部品実装面積を確保できる構造の電子機器を提供することを目的とする。
【００１４】
【課題を解決するための手段】
この課題を解決するために本発明は、電気回路部品が実装されたプリント配線基板を内蔵する電子機器筐体と、プリント配線基板の上方に配置されたキーボードと、電子機器筐体底面とキーボードとの間に、プリント配線基板に設けられた孔部を貫通する衝撃緩衝部材を備えたものである。
【００１５】
これにより、キーボード打鍵入力時の荷重を電子機器筐体底面で受けるため、キー入力の衝撃力及び荷重がプリント配線基板に直接伝わらないようにでき、セット厚みを増やさず、キー入力のフィーリング感を損なわず、プリント配線基板の部品実装面積を確保できる構造の電子機器が得られる。
【００１６】
【発明の実施の形態】
本発明の請求項１に記載の発明は、電気回路部品が実装されたプリント配線基板と、前記プリント配線基板等を内蔵する筐体と、前記プリント配線基板の上方に配置されたキーボードと、前記筐体底面と前記キーボードとの間に、前記プリント配線基板に設けられた孔部を貫通する衝撃緩衝部材とを備えたことを特徴とする電子機器としたものであり、セット厚みを増やさず、キーボードのキー入力時のフィーリング感を満足し、かつ、故障の原因となるプリント配線基板への荷重が直接加わらないという作用を有する。
【００１７】
請求項２に記載の発明は、請求項１記載の電子機器において、衝撃緩衝部材は、キーボードの中央部近傍に配置されることを特徴とするもので、キーボードを有効に支持でき、衝撃緩衝部材の大きさを最小限にすることができるという作用を有する。
【００１８】
請求項３に記載の発明は、請求項１記載の電子機器において、衝撃緩衝部材は、キーボード及び筐体と固定されないことを特徴とするもので、プリント配線基板に設けられた孔部の大きさを最小限にできるため、プリント配線基板の部品実装面積が確保できるという作用を有する。
【００１９】
請求項４に記載の発明は、請求項１記載の電子機器において、衝撃緩衝部材は、軸状部品及び板状部品とから構成されることを特徴とするもので、プリント配線基板に設けられた孔部の大きさを最小限にできるため、プリント配線基板の部品実装面積が確保できるという作用を有する。
【００２０】
請求項５に記載の発明は、請求項１記載の電子機器において、衝撃緩衝部材は、衝撃吸収が可能な弾性体を含むことを特徴とするもので、電子機器筐体底面に対してもキーボード打鍵入力時の衝撃力及び荷重が加わりにくいという作用を有する。
【００２１】
請求項６に記載の発明は、請求項１記載の電子機器において、衝撃緩衝部材は、一体成形されたものであることを特徴とするもので、１つの部品で複数の支持部を備えることができるという作用を有する。
【００２２】
請求項７に記載の発明は、請求項１記載の電子機器において、プリント配線基板上にディスクドライブ装置を配置したことを特徴とするもので、プリント配線基板上に衝撃の影響を受けやすいディスクドライブ装置を配置すれば、キーボードからの衝撃は衝撃緩衝装置により緩和されるので直接ディスクドライブ装置に衝撃が加わることがないという作用を有する。
【００２３】
以下、本発明の実施の形態について、図を用いて説明する。
【００２４】
（実施の形態１）
図１は本発明の一実施の形態の電子機器の内部構成図、図２は側面断面図である。図において、１は電子機器筐体で、ＣＰＵ２等の電気回路部品が半田付け実装されたプリント配線基板３を内蔵している。また、プリント配線基板３の上方には、打鍵による入力を行うキーボード４が配置されている。キーボード４は、複数のキー４ａ、樹脂製の枠４ｂ、キースイッチパターンが印刷されたフイルム状基板４ｃ、及び、金属ベース４ｄとから構成されている。キーボード４は、周囲を電子機器筐体１のホルダ部１ａによって支持されている。これらの構成は従来例と同じものである。５は衝撃緩衝装置で、金属製の支持軸５ａと支持板５ｂ及び弾性体５ｃとから構成され、キーボード４の下面と、電子機器筐体１の底面との間に配置されている。衝撃緩衝装置５は、プリント配線基板３に対しては、プリント配線基板３に設けられた複数個の孔部３ａに支持軸５ａ及び支持板５ｂが貫通するように配置される。また、６はディスクドライブ装置であるＨＤＤ（ハードディスクドライブ）装置で、プリント配線基板３上に取り付けられている。
【００２５】
以上のように構成された電子機器について説明する。
【００２６】
まず、キーボード４のキー入力による衝撃力及び荷重は金属ベース４ｄに加わり、キーボード４をたわまそうとするが、電子機器筐体１の底面との間に配置されている衝撃緩衝装置５によりその変形が抑えられる。そして、衝撃力は弾性体５ｃにより緩和されて電子機器筐体１の底面に伝達される。この時、プリント配線基板３に対しては、支持軸５ａ及び支持板５ｂが孔部３ａを貫通し、衝撃緩衝装置５が接触しない構造となっているため、プリント配線基板３に直接荷重が加わらず、プリント配線基板３に半田付け実装されたＣＰＵ２等の電気回路部品の半田付け部分に荷重が加わり疲労破壊となって半田付け不良を起こすということがなくなる。
【００２７】
また、衝撃緩衝部材は、キーボードの中央部近傍に配置されているため、キーボードのたわみが大きくなる中央部を有効に支持でき、衝撃緩衝部材の大きさを最小限にすることができる。
【００２８】
また、衝撃緩衝部材は、キーボードや電子機器筐体と固定されない別部品となっているため、外部Ｉ／ＦＣＮが取り付けられたプリント配線基板を電子機器筐体に取り付ける際従来例の図５のような回転動作を避ける必要がなく、プリント配線基板に設けられた孔部の大きさを最小限にすることができ、プリント配線基板の部品実装面積が確保できる。
【００２９】
また、衝撃緩衝部材は、支持するためプリント配線基板に貫通させる部分が軸状及び板状であるため、プリント配線基板に設けられた孔部の大きさを最小限にでき、プリント配線基板の部品実装面積が確保できる。
【００３０】
また、ＨＤＤ装置６などの衝撃の影響を受けやすいディスクドライブ装置をプリント配線基板３上に取り付けることにより、キー入力による衝撃力及び荷重が加わらないため、このような衝撃に弱い装置等を十分なスキマが確保できないところに、問題なく配置することが可能となる。
【００３１】
なお、本実施の形態では、衝撃緩衝部材に弾性体を取り付けたが、これを取り付けないようにしても、電子機器筐体底面に対するキーボード打鍵入力時の衝撃力及び荷重が緩和されないだけで、プリント配線基板に対する効果はほとんど変わらない。
【００３２】
なお、衝撃緩衝部材は、一体成形されたものでもよく、こうすれば１つの部品で複数の支持部を備えることができる。
【００３３】
【発明の効果】
以上のように本発明によれば、電気回路部品が実装されたプリント配線基板を内蔵する電子機器筐体と、プリント配線基板の上方に配置されたキーボードと、電子機器筐体底面とキーボードとの間に、プリント配線基板に設けられた孔部を貫通する衝撃緩衝部材を備えたことにより、キーボード打鍵入力時の荷重を電子機器筐体底面で受けるため、キー入力の衝撃力及び荷重がプリント配線基板に直接伝わらないようにでき、セット厚みを増やさず、キー入力のフィーリング感を損なわず、プリント配線基板の部品実装面積を確保できる構造の電子機器が得られる。
【図面の簡単な説明】
【図１】本発明の一実施の形態の電子機器の内部構成図
【図２】本発明の一実施の形態の電子機器の側面断面図
【図３】従来の電子機器の側面断面図
【図４】従来の電子機器の側面断面図
【図５】従来の電子機器の側面断面図
【符号の説明】
１  電子機器筐体
３  プリント配線基板
３ａ  孔部
４  キーボード
５  衝撃緩衝装置
５ａ  支持軸
５ｂ  支持板
５ｃ  弾性体
６  ＨＤＤ装置
【図１】
0003539304.tif 000002
【図２】
0003539304.tif 000003
【図３】
0003539304.tif 000004
【図４】
0003539304.tif 000005
【図５】
0003539304.tif 000006